(57)【要約】【課題】ワンタッチダイヤルで発呼先アドレスを入力した場合、ダブル操作するだけで、入力ミスした発呼先アドレスを簡単、迅速にクリアすることができる通信端末装置を提供する。【解決手段】ワンタッチダイヤルキー３ａと、送信の発呼先アドレスを順次記憶するための送信アドレス蓄積メモリ６と、ワンタッチダイヤルキー３ａを操作して指定された発呼先アドレスを上記メモリに順次記憶させる一方、ワンタッチダイヤルキー３ａが所定時間内にダブル操作されたときには、そのワンタッチダイヤルキー３ａによって指定された発呼先アドレスを上記メモリからクリアし、同報送信を実行する信号処理手段とを備えている。【選択図】図１
2004350087.tif 000002
【特許請求の範囲】
【請求項１】
少なくともワンタッチダイヤル機能と、複数の宛先への同報送信機能を有する通信端末装置において、
ワンタッチダイヤルキーと、
送信の発呼先アドレスを順次記憶するための送信アドレス蓄積メモリと、ワンタッチダイヤルキーを操作して指定された発呼先アドレスを上記メモリに順次記憶させる一方、ワンタッチダイヤルキーが所定時間内にダブル操作されたときには、そのワンタッチダイヤルキーによって指定された発呼先アドレスを上記メモリからクリアし、同報送信を実行する信号処理手段とを備えた通信端末装置。
【請求項２】
請求項１において、
上記信号処理手段は、上記ワンタッチダイヤルのダブル操作によって、指定された発呼先アドレスが上記送信アドレス蓄積メモリよりクリアされたときは、クリア確認音を鳴動させる構成にしている通信端末装置。
【請求項３】
請求項１または２において、
ガイド操作表示部を更に備え、
上記信号処理手段は、ワンタッチダイヤルが操作されたときには、ワンタッチダイヤルのダブル操作によって、ワンタッチダイヤル操作の無効が可能なことを示すメッセージを表示させる構成にしている通信端末装置。
【発明の詳細な説明】
【０００１】
【発明の属する技術分野】
本発明は、複数の宛先への同報送信機能を備えた通信端末装置に関し、ワンタッチダイヤルキーを用いて宛先を指定する時の操作性を改良したものである。
【０００２】
【従来の技術】
近年、通信端末装置において操作性の容易化、簡略化のために、種々機能が提案されており、その一つの機能として多数の相手に一度に送信する同報送信機能がある。これによれば、多数の相手に同じ原稿をファクシミリ送信する際、相手先毎に繰り返して原稿を読み取る必要がなく、一度の原稿読取操作で順次送信することができる。送信する宛先を指定する時には、テンキー、短縮ダイヤル、ワンタッチダイヤル等で複数の発呼先アドレスを指定し送信を行う。
【０００３】
なお、本願発明に関連する先行技術文献は、見当たらなかった。
【０００４】
【発明が解決しようとする課題】
しかしながら、従来の通信端末装置では、例えば５件の発呼先アドレスを指定した後に１件について入力ミスがあった場合、カーソルキーで該当する発呼先アドレスを表示し選択して、その後クリアキーを押して消去しなければならず、手間がかかっていた。
【０００５】
本発明は、このような事情に鑑みて提案されたもので、送信の際にワンタッチダイヤルで発呼先アドレスを入力指定した場合、ダブル操作するだけで入力ミスした発呼先アドレスを簡単、迅速にクリアすることができる通信端末装置を提供することを目的とする。
【０００６】
【課題を解決するための手段】
上記目的を達成するために、請求項１に記載の通信端末装置は、少なくともワンタッチダイヤル機能と、複数の宛先への同報送信機能を有する通信端末装置において、ワンタッチダイヤルキーと、送信の発呼先アドレスを順次記憶するための送信アドレス蓄積メモリと、ワンタッチダイヤルキーを操作して指定された発呼先アドレスを上記メモリに順次記憶させる一方、ワンタッチダイヤルキーが所定時間内にダブル操作されたときには、そのワンタッチダイヤルキーによって指定された発呼先アドレスを上記メモリからクリアし、同報送信を実行する信号処理手段とを備える。
【０００７】
これによれば、発呼先アドレスを入力した後、ワンタッチダイヤルキーをダブル操作するだけで、入力ミスした発呼先アドレスを簡単にクリアすることができ、カーソルキーで選択するなどの手間が省けて便利である。
【０００８】
請求項２に記載の通信端末装置は、請求項１において、上記信号処理手段は、上記ワンタッチダイヤルのダブル操作によって、指定された発呼先アドレスが上記送信アドレス蓄積メモリよりクリアされたときは、クリア確認音を鳴動させる構成にしている。
【０００９】
これによれば、ダブル操作は有効であったか否かを音の鳴動により確認することができる。
【００１０】
請求項３に記載の通信端末装置は、請求項１または２において、ガイド操作表示部を更に備え、上記信号処理手段は、ワンタッチダイヤルが操作されたときには、ワンタッチダイヤルのダブル操作によって、ワンタッチダイヤル操作の無効が可能なことを示すメッセージを表示させる構成にしている。
【００１１】
これによれば、送信の操作中に操作方法をメッセージで表示されるため、マニュアルを確認することなく、操作することができる。
【００１２】
【発明の実施の形態】
以下に、本発明の実施の形態について添付図面とともに説明する。
【００１３】
図１は本発明の通信端末装置の構成の一例を示したブロック図である。なお、ここには、ファクシミリ装置Ｆの構成を示したが、本発明は電話機、ファクシミリ及びコピー機能を備えた複合機にも適用可能であり、またワンタッチキーで送信先を指定できるワンタッチダイヤル機能と複数の宛先へ送信指定できる同報送信機能を有する通信端末装置であればよい。
【００１４】
図において、本発明の通信端末装置は少なくとも以下の各部を備えている。１はＣＰＵ等で構成され、以下の各部を制御する信号処理部、２は電話回線Ｌにダイヤル信号を送出し、電話回線Ｌに対する接続制御を行うＮＣＵ２ａ、ファクシミリ通信や電子メール通信を行うために信号の変調と復調を行うモデム２ｂ、キーに対応したダイヤル番号を自動発呼するオートダイヤラー２ｃ等を備えるＦＡＸ送受信制御部、３はワンタッチダイヤルキー３ａ等、各種操作キーを備えた操作部、４は液晶ディスプレイやＬＥＤ等で構成される表示部、５は確認音（後述する確認音Ａ、Ｂ等）や音声メッセージを出力する音出力部、６は送信の際、ワンタッチダイヤルキー３ａで発呼先アドレスに指定されたアドレスを順次蓄積する送信アドレス蓄積メモリである。ここでは図示していないが、ＲＯＭ、ＲＡＭ、原稿読取部、モードキー等も備えている。
【００１５】
なお、通信手段は上記構成に限定されず、ＮＣＵ２ａやモデム２ｂ等を備えずに、ＤＳＵ（不図示）を介して、ＩＳＤＮ回線（デジタル回線）等に接続される構成であってもよい。
【００１６】
また、送信アドレス蓄積メモリ６は、ファックス番号でよいし電子メールアドレスでもよい。
【００１７】
上記ＲＡＭ（不図示）内には、ワンタッチダイヤルキー３ａに対応させてメールアドレス又は電話番号（ファクシミリ番号）を登録する発呼先アドレス情報が記憶されており、送信アドレス蓄積メモリ６には、送信の際、ワンタッチダイヤル、短縮ダイヤル、グループおよびテンキー入力の組み合わせにより発呼先アドレスが指定されると、順次送信先のアドレスが蓄積記憶される構成としている。なお、送信アドレス蓄積メモリ６の格納場所は一時的にデータを記憶できればＲＡＭの他、バッファメモリとしてもよい。
【００１８】
ここで同報送信をする場合は、ファンクションキーを操作するなどの方法で同報送信モードに設定されていることが前提であるが、そのような設定操作をなくして、プログラム設定できるようにしてもよい。後者の場合には、テンキー入力の時以外は同報送信モードに設定しなくても、発呼先アドレスを所定時間を経過するまでに複数指定すれば、同報送信モードと判別する手段を有するなどの手法が採用できる。
【００１９】
本発明では、ワンタッチダイヤルキー３ａを操作して指定された発呼先アドレスを送信アドレス蓄積メモリ６に順次記憶させる一方、ワンタッチダイヤルキー３ａが所定時間内にダブル操作されたときには、そのワンタッチダイヤルキー３ａによって指定された発呼先アドレスを送信アドレス蓄積メモリ６からクリアし、同報送信を実行する信号処理手段を備えているが、図１の実施例では信号処理部１がこの信号処理手段を構成している。
これによれば、発呼先アドレスを入力した後で、入力ミスに気付いた場合、ワンタッチダイヤルキー３ａをダブル操作するだけで、その該当する発呼先アドレスをクリアすることができ、カーソルキーで選択する操作上の手間が省けて便利である。
【００２０】
なお、ここにいうワンタッチダイヤルキーは、一回の押圧操作（ワンタッチ）で発呼先アドレスを入力できるキー構成をいうが、短縮ダイヤル機能であっても適用できる。
【００２１】
図２は本発明の通信端末装置の動作の一例を示すフローチャート（ステップ１０１から１１０）である。なお、ここには、同報送信に適用した例を示しているが、一回の押圧操作で、元に戻す操作（いわゆるＵＮＤＯ操作で、直前の操作を無効として処理できる操作機能）としても適用することができる。
【００２２】
まず、ファクシミリ装置Ｆに（ステップ１０１）、ワンタッチダイヤルキー３ａを入力すると（ステップ１０２）一定時間を計時し始め、タイムアップすると（ステップ１０３）その指定された発呼先ダイヤルは有効と判別し、送信アドレス蓄積メモリ６に登録保持され（ステップ１０４）、確認音Ａが鳴動する（ステップ１０５）。その後はスタートキーが操作されることにより（ステップ１０６）オートダイヤラー（自動発呼手段）２Ｃが作動し順次送信される（ステップ１０７）。一方、タイムアップする前に同じワンタッチダイヤルキー３ａが再度入力される（ステップ１０８）と、送信アドレス蓄積メモリ６よりその指定された発呼先ダイヤルはクリアされ（ステップ１０９）、確認音Ａとは異なる確認音Ｂが鳴動する（ステップ１１０）。その後は上述と同様にスタートキーが操作されることにより（ステップ１０６）、送信アドレス蓄積メモリ６に登録保持された発呼先アドレスに順次送信される（ステップ１０７）。
【００２３】
本発明では上述のようないわゆるダブル操作により、入力ミスした発呼先アドレスのみをクリアした場合、確認音Ｂを鳴動させる構成としている。なお、タイムアップして（ステップ１０３）、一旦送信アドレス蓄積メモリ６に登録保持された後（ステップ１０４）、同じワンタッチダイヤルキー３ａが再度押圧操作（いわゆるダブル操作）されれば、クリアされる構成としてもよい。
【００２４】
また、図２のフローチャートではクリアを確認するだけでなく、発呼先アドレスの指定が有効であることを知らせる確認音Ａを鳴動させる構成としている。このときの鳴動音Ａ及びＢは、シグナル音でもよいし、音声メッセージでもよい。またこれは音に限られず、表示部４に文字メッセージを表示させる構成としてもよい。これによれば、上記各操作（ステップ１０４及び１０９が有効であったか否かを音の鳴動（もしくは、文字メッセージ）により確認することができ、操作ミスを防止することができる。
【００２５】
更に上記音出力部５より出力される確認音Ａ、Ｂを鳴動させるか否か及び鳴動音の音色は適時選択できる事項として、操作部３で設定できる構成としてもよい。これによれば、ユーザの希望やシーンにあわせて適時選択及び鳴動の禁止をすることができる。
【００２６】
本発明では上述のようにワンタッチダイヤルキー３ａにより入力ミスした発呼先アドレスをいわゆるダブル操作によって、ワンタッチダイヤル操作が無効可能となるメッセージを表示させる構成にしている。このガイドはガイド操作表示４ａとして表示部４に表示される。図３は送信の操作中の表示画面の一例を示す図である。なお、ここには同報送信に適用した例を示しているが、もちろん、ガイド操作表示４ａは図３に示す態様に限らず、ダブル操作によりクリアできることがわかりやすくガイドできる態様であればよい。このガイド操作表示４ａは図２のフローチャート中でいえば、ステップ１０２から１０３の間に表示される。すなわち、同報通信モード（設定、非設定問わず）と判別され、その後ワンタッチダイヤルキー３ａにより発呼先アドレスが入力されると、図３に示すようなガイド操作表示４ａが表示部４に現れる構成とする。
これによれば、送信の操作中に操作方法がメッセージで表示されるため、マニュアル本等を確認することなく、操作することができ、この操作方法の活用を促進することができる。
【発明の効果】
請求項１の発明によれば、発呼先アドレスを入力した後、ワンタッチダイヤルキーをダブル操作するだけで入力ミスした発呼先アドレス簡単、迅速にクリアすることができ、カーソルキーで選択するなどの手間が省けて便利である。
【００２７】
請求項２の発明によれば、上記ダブル操作は有効であったか否かを音の鳴動により確認することができ、操作ミスを防止することができる。
【００２８】
請求項３の発明によれば、送信の操作中に操作方法がメッセージで表示されるため、マニュアル本等を確認することなく、操作することができ、この操作方法の活用を促進することができる。
【図面の簡単な説明】
【図１】本発明の通信端末装置の構成の一例を示したブロック図である。
【図２】本発明の通信端末装置の動作の一例を示すフローチャートである。
【図３】送信先指定操作中の表示画面の一例を示す図である。
【符号の説明】
Ｆ    ファクシミリ装置
１    信号処理部
２    ＦＡＸ送受信制御部
２ａ  ＮＣＵ
２ｂ  モデム
２ｃ  オートダイヤラー
３    操作部
３ａ  ワンタッチダイヤルキー
４    表示部
４ａ  ガイド操作表示
５    音出力部
６    送信アドレス蓄積メモリ
【図１】
2004350087.tif 000003
【図２】
2004350087.tif 000004
【図３】
2004350087.tif 000005